(57)【要約】【課題】消毒法は、生存する病原微生物の数を減らすために用いられる処置法であり、必ずしも完全駆除を目的とはしていない。湿熱や紫外線などを用いる物理的消毒法にあっては、時間が長く掛かる割には殺菌力は弱く、薬剤を使用する化学的消毒法にあっては、繰り返し使用している内に病原微生物は、その薬剤に対して耐性を持つなどの課題がある。滅菌法は、すべての病原微生物を存在させることなく、完全除去することと定義されており好ましい手段ではあるが、イニシャルコスト及びランニングコストが高く、一般（個人）病院では余り普及していない。【解決手段】光励起されている光触媒性酸化チタンを混合してなる複合懸濁液で内視鏡を含む被洗浄物の全部、又は一部を浸漬、又は噴霧等することにより、いかなる場所に潜んでいる病原微生物にも光触媒性酸化チタンが接触し、当該病原微生物を不活化し、消毒及び滅菌の効果を得る。【特許請求の範囲】
【請求項１】
光触媒性酸化チタンを用いてなることを特徴とする病原微生物の消毒及び滅菌薬。
【請求項２】
光触媒性酸化チタンを溶媒にて懸濁液にしてなることを特徴とする特許請求項１記載の病原微生物の消毒及び滅菌薬。
【請求項３】
前記溶媒は、清浄水、蒸留水、無菌水、エタノール、メタノール、イソプロパノール、ブチルセロソルブ、Ｎーブタノール、硝酸、塩酸、フェノール、ヨードホール、アンモニウム塩、安定化過酸化水素、過酢酸、グルタラールアルデヒド、次亜塩素酸ナトリウム、塩化ナトリウム、ポビドンヨード、クレゾール石鹸、逆性石鹸、ヘロルヘキシジン、両性界面活性剤、酵素、グルコン酸、クロルヘキシジン、クロールゲキジン、であって良く、これらの単体若しくは、複数で組成してなることを特徴とする特許請求項１、２記載の病原微生物の消毒及び滅菌薬。
【請求項４】
上記光触媒性酸化チタンを含有する複合懸濁液を病原微生物に接触させてなることを特徴とする特許請求項１、２、３記載の病原微生物の消毒及び滅菌薬。
【発明の詳細な説明】
【０００１】
【発明の属する分野】
本発明は、安全・確実・迅速・安価に被浄化物に付着している、病原微生物を不活化する光触媒性酸化チタン反応を活用した消毒及び滅菌薬に関するものである。
【０００２】
【従来の技術】
従来技術としては、物理的消毒法（流通蒸気・煮沸・間歇・紫外線）及び化学的消毒法（気体・液体）が有り、滅菌方法としては、加熱・照射・ガス法と濾過法が用いられている。
【０００３】
【発明が解決しようとする課題】
消毒法は、生存する病原微生物の数を減らすために用いられる処置法であり、必ずしも完全駆除を目的とはしていない。
湿熱や紫外線などを用いる物理的消毒法にあっては、時間が長く掛かる割には殺菌力は弱く、薬剤を使用する化学的消毒法にあっては、繰り返し使用している内に病原微生物は、その薬剤に対して耐性を持つなどの課題がある。
【０００４】
滅菌法は、すべての病原微生物を存在させることなく、完全除去することと定義されている。
この滅菌法の種類には、▲１▼加熱法（高圧蒸気・乾熱）▲２▼照射法（放射線・高周波）▲３▼ガス法（酸化エチレンガス・過酸化水素ガスプラズマ法）▲４▼濾過法が採用されている。しかしながら▲１▼加熱法〜▲４▼濾過法に共通の課題は、イニシャルコスト及びランニングコスト高である。
【０００５】
本発明は、これらの課題を鑑みて、安全・確実・迅速・安価な手段として、光触媒性酸化チタン反応を活用する消毒及び滅菌薬の製造方法を提供することが目的である。
【０００６】
【課題を解決するための手段】
上記目的を達成するために、本発明は、光触媒性酸化チタンが含有されている複合懸濁液を被洗浄物に付着している病原微生物に接触させる。
【０００７】
【作用】
光触媒性酸化チタンは、近紫外線（一部では可視光も可）を照射すると電子と正孔の二つのキャリアができる。光触媒性酸化チタンの特徴でもある励起電子のもつ還元力よりも正孔のもつ酸化力が強力である点を利用し、触媒表面のＨ２Ｏに正孔が作用し、ヒドロキシラジカルが生じる。
このヒドロキシラジカルは水道の消毒などに広く使われている塩素やオゾンに比べて非常に強い酸化力をもっており、有機物を構成する分子中の炭素−炭素結合（８３ｋｃａｌ／ｍｏｌ）、炭素−水素結合（９９ｋｃａｌ／ｍｏｌ）、炭素−窒素結合（７３ｋｃａｌ／ｍｏｌ）、炭素−酸素結合（８４ｋｃａｌ／ｍｏｌ）、酸素−水素結合（  １１１ｋｃａｌ／ｍｏｌ）、窒素−水素結合（９３ｋｃａｌ／ｍｏｌ）、の結合エネルギ−であるのに対して、ヒドロキシラジカルのエネルギ−は  １２０ｋｃａｌ／ｍｏｌとはるかに大きいため、これらの結合を簡単に切断して分解することができる。この作用により細菌感染症などで産出されるエンドトキシンなどの毒素も分解できることが確認されている。
さらに、Ｐｔ、Ａｇ、Ｃｕなどの遷移金属を添加することにより酸化還元機能を向上させることが可能である。
【０００８】
光触媒性酸化チタンを溶媒にて懸濁液にして、浸漬・噴霧等の手段により被洗浄物の如何なる場所に付着している病原微生物にも複合懸濁液に含有されている光触媒性酸化チタンが接触し、病原微生物は不活化する。
【０００９】
前記溶媒の調合方法としては、清浄水、蒸留水、無菌水、エタノール、メタノール、イソプロパノール、ブチルセロソルブ、Ｎーブタノール、硝酸、塩酸、フェノール、ヨードホール、アンモニウム塩、安定化過酸化水素、過酢酸、グルタラールアルデヒド、次亜塩素酸ナトリウム、塩化ナトリウム、ポビドンヨード、クレゾール石鹸、逆性石鹸、ヘロルヘキシジン、両性界面活性剤、酵素、グルコン酸、クロルヘキシジン、クロールゲキジン、を用いて良く、これらを単体若しくは、混合することにより、より優れた複合溶媒となる。
【００１０】
上記複合溶媒に光触媒性酸化チタンを混合することで、複合懸濁液となり、該複合懸濁液に紫外線を照射することにより、混合されている光触媒性酸化チタンは光励起されて、当該光触媒性酸化チタンに接触する病原微生物を不活化する効果を有する薬となる。
【００１１】
前記光触媒性酸化チタンを光励起する手段にあっては、光の波長が３８０ｎｍ以下の紫外線を照射するのが好まれるが、最近では可視光応答型光触媒も出現してきた。
【００１２】
被洗浄物に複合懸濁液に含有されている光触媒性酸チタンを接触させる手段としては、浸漬・噴霧等如何なる手段であろうとも、被洗浄物に光触媒性酸化チタンが接触すれば良く、特に定める必要性はない。
【００１３】
【発明の実施の形態】
基材の表面に光触媒性酸化チタンを塗布（コ−ティング）して、その表面に光励起することにより、表面の光触媒性酸化チタンに接触する空中浮遊菌を含む有害なウィルス等を分解除去できることは公知であり多方面で実用化されている。しかしながら、そのすべて（？）の方法は、基材の表面に光触媒性酸化チタンを固定（接着）して出来るかぎり長期に渡り、その有効性を維持する手段が用いられている。
本発明は、従来から多く採用されている光触媒性酸化チタンをコーティングする方法とは異なり、目的とする内視鏡を含む被洗浄物の外表面やチャンネル内に固着させることなく光触媒性酸化チタンを活用する手段に特徴を見出すことが出来る。
さらに、通常の方法では、内視鏡や被洗浄物の全部または一部に光触媒性酸化チタンを塗布（コ−ティング）することにより、その部分に接触する有害物を分解するという、どちらかと言えば受け身の方法であるのに対して、常時光励起して活性化させた光触媒性酸化チタンを洗浄対象とする内視鏡を含む被洗浄物の全部または一部を浸漬・噴霧等することで、いかなる場所に潜んでいる病原微生物にも攻撃的に光触媒性酸化チタンを接触させて、該病原微生物を不活化する手段は一般的に耳にしたことはなく独創的な考え方である。
【００１４】
内視鏡を含む被洗浄物の完全滅菌に着目した理由は、使用された内視鏡等による「医原性感染」が社会問題化している中、被検者に使用された内視鏡等を次の被検者に使用するには二次感染を防ぐために完全に滅菌された清潔なものを提供する義務と権利と責任を痛感したからである。
院内感染の感染経路や感染源は究めて多岐にわたり、多様化しているが、少なくとも内視鏡や被洗浄物による院内感染の予防に大きく貢献でき、交差感染の危険性が減少することにより看護師等の安全業務の遂行および二次感染防止を通じて社会に貢献できることである。
【００１５】
最近、病原性大腸菌やエイズ（ＨＩＶ）の問題など医療方面では、細菌やウイルスによる感染症の流行が問題視されている。少し前までは結核が激減しＷＨＯは天然痘の撲滅を宣言するなど感染症はすでに時代遅れとさえ言われた。
しかし、エボラ出血熱ウィルス、病原性大腸菌Ｏ１５７は大きな社会問題となっている。また、ＭＲＳＡのように健常者にはほとんど影響がなくとも、ひとたび抵抗力の落ちた病人やお年寄りには感染症を引き起こし、抗生物質も効かず最悪の場合には死に至らしめるという院内感染の問題もいまだに解決されていない。
そのため、医学の方面では、どうすれば細菌やウィルスを退治できるかということに非常に関心が集まっている。細菌やウィルスの性質として、初めから大量にそこにいるのではなく、よそから何かの方法で移ってきて、その場所が増殖するのに適した環境とわかるやネズミ算的に増殖する。
光触媒は一度に大量の物質を分解することには不向きではあるが、このように最初は少しのものが徐々に増えてくるようなものに対しては大変大きな効果があることが判明している。
抗菌剤や殺菌剤ならこれまでにいくつもの種類が開発され、それぞれに貢献し活躍しているが、これらの抗菌剤や殺菌剤の場合、細菌を殺すことができてもその死骸は残ってしまうのに対し、光触媒性酸化チタンの場合は単に細菌を殺すだけではなく、その死骸から生成される毒素をも分解してしまう特性を持っていることである。
【００１６】
【実施例】
実施例１．光触媒性酸化チタンを含有する複合懸濁液の試験目的および試験方法。
供試品名称    クリアックス（ＴｉＯ２  複合懸濁液）
供試品製造    有限会社総合技研
試験検査者    社団法人日本食品衛生協会
１．試験目的    殺菌効果試験
２．試験方法
１）供試菌    大腸菌（Ｅｓｃｈｅｒｉｈｉａ  ｃｏｌｉ    ＡＴＣＣ８７３９）
緑膿菌（Ｐｓｅｕｄｏｍｏｎａｓ  ａｅｒｕｇｉｎｏｓａ  ＡＴＣＣ９０２７）
枯草菌（Ｂａｃｉｌｌｕｓ  ｓｕｂｔｉｌｉｓＡＴＣＣ６６３３）
２）菌液調整  供試菌をＳＣＤブイヨン倍地で３５℃、２４時間培養し滅菌リン酸緩衝液に懸濁したものを菌液とした。（菌数：約１０８ｃｆｕ／ｍｌ）
３）操作      ガラス管（直径８ｍｍ，  高さ１０ｍｍ）  に０．１％アスパラギン酸塩を被覆した後、菌液に１５分間浸漬し、滅菌ろ紙上で３０分間乾燥させ、キャリアとした。
汚染したキャリアをあらかじめブラックライトで活性化させた供試品１００ｍｌの中にいれ、撹拌しながらブラックライトを照射し、１分、３分、５分間作用させた。
作用させた後、キャリアを取り出し１０ｍｌの滅菌精製水で７回水洗し、１０ｍｌの普通ブイヨン倍地にいれ、３５℃、４８時間培養し菌の発育の有無を観察した。
対照は汚染したキャリアを１０ｍｌの滅菌精製水で７回水洗したものを、普通ブイヨン培地にいれ培養した。ただし、試験は繰り返し１０回行った。
３．試験結果
【００１７】
【発明の効果】
病原微生物は平均して１μｍ前後のサイズであるのに対して、当該発明に採用している光触媒性酸化チタンは、７ｎｍと非常に微細であり、例え内視鏡ホ−スの凹部分、チャンネル内部または亀裂等を含むいかなる場所に病原微生物が潜んでも、それより数百倍も微細である光触媒性酸化チタンは病原微生物に確実に接触して消毒・滅菌対象の病原微生物を不活化する。
【００１８】
病原微生物の高危険度分類に位置する細菌類（抗酸菌、腸内細菌、リケッチアなど）及び、ウィルス類（狂犬病ウィルス、腎症候性出血熱ウィルス、エボラ出血熱ウィルス、ラッサ熱ウィルスなど）が内視鏡に付着しても、病原微生物を構成する分子中の炭素−炭素結合（８３ｋｃａｌ／ｍｏｌ）の結合エネルギ−であるのに対して光触媒性酸化チタンが光励起された時に生じるヒドロキシラジカルのエネルギ−は  １２０ｋｃａｌ／ｍｏｌとはるかに大きいため、これらの結合を簡単に分解する。